(57)【要約】【課題】顔に接しない鼻パッド無しメガネは、レンズ部１０より上下に突出した固定具６、モダン１によって、保持されていることが装着感の良くしている。この固定具６、モダン１を折り畳み可能にしてスリムにすることを課題としている。【解決手段】パッド無しメガネのテンプル３の端部に、連結部材９を固定又は摺動自在に取り付け、この連結部材９に、頭の形状に沿って斜め上方に延設した固定具６の下方端を取り付け、この連結部材９に、耳殻４の外側の形状に沿わせて延長したモダン１が、耳朶５を避けるように前方に湾曲されて、このモダン１の終端部の最後尾に、メガネを固定するための保持体２が、耳の耳珠７の表裏面に当接するように取り付けられ、このモダン１の上方端が、連結部材９に回動自在に軸支され、テンプル３に折り重なる方向に、折り畳める構成である。【選択図】    図２
2014071390.tif 000002
【特許請求の範囲】
【請求項１】
鼻パッド無しメガネのテンプル（３、３）の端部に、連結部材（９、９）を固定又は摺動自在に取り付け、この連結部材（９、９）に、頭の形状に沿って斜め上方に延設した固定具（６、６）の下方端が取り付けられ、この連結部材（９、９）に、耳殻（４、４）の外側の形状に沿わせて延長したモダン（１、１）が、耳朶（５、５）を避けるように前方に湾曲されていて、このモダン（１、１）の終端部の最後尾に、メガネを固定するための保持体（２、２）が、耳の耳珠（７、７）の表裏面に当接するように取り付けられ、このモダン（１、１）の上方端が、回動自在に軸支されていて、前記テンプル（３、３）に折り重なる方向に、折り畳めるように成されていることを特徴とする折り畳めるモダン。
【請求項２】
前記テンプル（３、３）の端部に取り付けた前記連結部材（９、９）に、前記固定具（６、６）の下方端が、回動自在に軸支されていていることを特徴とする請求項１記載の折り畳めるモダン。
【請求項３】
前記テンプル（３、３）の端部に取り付けた前記連結部材（９、９）に、前記固定具（６、６）の下方端と、前記モダン（１、１）の上方端とが、一体に連結された連結モダン（８、８）が回動自在に軸支されていていることを特徴とする請求項１又は２記載の折り畳めるモダン。
【請求項４】
前記モダン（１、１）が、前記テンプル（３、３）に折り重なる方向に、二段階に折り畳めるように形成させて、軸支されていることを特徴とする請求項１又は２記載の折り畳めるモダン。
【発明の詳細な説明】
【技術分野】
【０００１】
本発明は、パッド無しメガネの折り畳めるモダンに関する。
【背景技術】
【０００２】
従来、パッド無しメガネのモダン１は、顔に触れないようにするために、モダン１の終端部の最後尾に取り付けた保持体２が、耳珠７の表裏面に当接することによって、メガネ装着時に良好に固定されてメガネを保持している。このモダン１の形状はメガネのレンズ部１０より下方に突出している。また、メガネの固定を補助するための固定具６もレンズ部１０より上方に突出している。このモダン１、固定具６が設けられているためメガネケースが大きくなり、持ち運びするには不便である。
【先行技術文献】
【特許文献】
【０００３】
【特許文献１】特許第４８２４８３８号
【特許文献２】特開２００２−３２８３４１
【特許文献３】実開平５−４５６３６
【０００４】
特許文献１は、出願人が先に取得している特許第４８２４８３８号であり、鼻パッドを取り外し、レンズ部が浮いた状態でかけることができるメガネである。一個又は二個のレンズがパッドを省略して形成されているレンズ部１１、１１と、このレンズ部１１、１１の両脇のヨロイ２、２とを介して、延長されているテンプル４、４の後に、モダン３、３が結合されているメガネであって、前記モダン３、３が耳殻２０、２０の外側の形状に沿わせて延長されており、その終端部は耳朶５、５を避けるように前方に湾曲されており、このモダン３、３の終端部の最後尾には、メガネを固定するための保持体７、７が設けられていて、この保持体７、７が耳珠１、１の表裏面に当接した形状に成されている。
【０００５】
特許文献２は、レンズを装着する一対のレンズと該レンズ枠が近接する部分同士を連結するブリッジと、レンズ枠の端部に蝶番を介して取り付けられたテンプルとを備えて成る眼鏡フレームにおいて、ブリッジの両端と左右レンズ枠との間に折り畳み用蝶番を介在させるとともに、左右テンプルの略中間位置部分に折り畳み用蝶番を設け、折り畳みを可能にし、テンプル部のヨロイ側の基端とモダンの突端側に磁石を対向してはめ込み、テンプル部が略中間部分で折り畳み時に磁石により吸引着接のスリムで一体感を感じさせるように構成するものである。
【０００６】
特許文献３は、左右レンズ部２、２を連結するブリッジ３を、左右ブリッジ片１０、１１に２分割する。両ブリッジ片は、レンズ部２、２の上端縁２６、２６が当接状態となるように折り曲げ可能に枢着する。ブリッジを開いてフロントを展開状態にしたとき、枢着部分において係止球体１７が第１の係止凹部２２と弾性的に係合し、その展開状態を保持させる。一方ブリッジを折り曲げて両レンズ部の上端縁２２、２２を当接状態にすると、枢着部分において係止球体１７が第２の係止凹部２３と弾性的に係合し、フロントの折り畳み状態を保持させる。
【発明の概要】
【発明が解決しようとする課題】
【０００７】
顔に接しない鼻パッド無しメガネは、レンズ部１０より上下に突出した固定具６、モダン１によって、保持されていることが装着感を良くしている。この固定具６、モダン１を折り畳み可能にしてスリムにすることを課題としている。
【課題を解決するための手段】
【０００８】
パッド無しメガネのテンプル３の端部に、連結部材９を固定又は摺動自在に取り付け、この連結部材９に、頭の形状に沿って斜め上方に延設した固定具６の下方端を取り付け、この連結部材９に、耳殻４の外側の形状に沿わせて延長したモダン１が、耳朶５を避けるように前方に湾曲されて、このモダン１の終端部の最後尾に、メガネを固定するための保持体２が、耳の耳珠７の表裏面に当接するように取り付けられ、このモダン１の上方端が、連結部材９に回動自在に軸支され、テンプル３に折り重なる方向に、折り畳める構成である。
【発明の効果】
【０００９】
本発明の効果として、鼻パッド無しメガネの、上方に突出している固定具６の下方端と、下方に突出しているモダン１の上方端を、テンプル３の端部に取り付けた連結部材９に回動自在に軸支させ、テンプル３に折り重なる方向に、折り畳むことによって、従来のメガネと同じサイズにして、便利に使用することができる。テンプル３の端部に摺動、固定自在に取り付けた連結部材９は、レンズと目との間の角膜頂点間距離を、摺動させて微妙に調整するために設けられている。多種の機能を備えたレンズを取り付けたメガネ型全製品に、本発明のモダン１を使用することによって、機能性や利便性が向上する。
【図面の簡単な説明】
【００１０】
【図１】本発明１の実施の形態の一例を示す側面図、正面図である。
【図２】本発明１の実施の形態の一例を示す側面図、正面図である。
【図３】本発明１の実施の形態の一例を示す説明図である。
【図４】本発明１の実施の形態の一例を示す側面図、正面図である。
【図５】本発明１の実施の形態の一例を示す斜視図である。
【図６】本発明２の実施の形態の一例を示す側面図である。
【図７】本発明３の実施の形態の一例を示す側面図、正面図である。
【図８】本発明４の実施の形態の一例を示す側面図、正面図である。
【発明を実施するための形態】
【００１１】
従来メガネを耳にかけるモダンの形状はへ字状である。しかし、本発明のモダンは略Ｃ字状に延設された形状になり、適当な名称はなく説明ではモダンと言う。以下、本発明の実施の形態について、図面を参照して説明する。
【実施例１】
【００１２】
そこで、本発明の請求項１記載の折り畳めるモダン（以下、本発明１と言う）は、鼻パッド無しメガネのテンプル３、３の端部に、連結部材９、９を固定又は摺動自在に取り付け、この連結部材９、９に、頭の形状に沿って斜め上方に延設した固定具６、６の下方端が取り付けられ、この連結部材９、９に、耳殻４、４の外側の形状に沿わせて延長したモダン１、１が、耳朶５、５を避けるように前方に湾曲されていて、このモダン１、１の終端部の最後尾に、メガネを固定するための保持体２、２が、耳の耳珠７、７の表裏面に当接するように取り付けられ、このモダン１、１の上方端が、回動自在に軸支されていて、前記テンプル３、３に折り重なる方向に、折り畳めるように成されていることを特徴としている。
【００１３】
実施の形態の一例として、第１ａ図は本発明１のモダン１を取り付けたメガネを耳にかけている側面図であり、レンズ部１０が鼻パッドを省略して形成されているレンズ部１０と、このレンズ部１０の両脇のヨロイ１１とを介して、延長されているテンプル３の端部に、連結部材９を取り付け、この連結部材９に、頭の形状に沿って斜め上方に延設した固定具６の下方端が取り付けられ、この連結部材９に、モダン１の上方端を軸支させ、このモダン１は耳殻４の外側の形状に沿わせて延長させ、その終端部は耳朶５を避けるように前方に湾曲させて、このモダン１の終端部の最後尾に、メガネを固定するための保持体２を設け、この保持体２が耳珠７近傍の表裏面を包み込むようにして当接した形状に成されていることを示している。
【００１４】
様々な人の耳に合わせるために、多種類のモダン１を製作し、連結部材９に軸支したモダン１を着脱自在に取り付けることもできる。連結部材９に取り付けた固定具６から保持体２まで耳の全周縁に当接するモダン１は、メガネを保持する力が分散され心地よいフィット感で、継続してメガネをかけることができる。
【００１５】
実施の形態の一例として、第１ｂ図は本発明１のモダン１を取り付けたテンプル３を内側に折り畳んだ正面図であり、モダン１がレンズ部１０より下方に突出していることを示している。
【００１６】
実施の形態の一例として、第２ａ図は、本発明１のモダン１を取り付けたメガネの斜視図である。第２ｂ図は、テンプル３を開けた状態で、本発明１のモダン１をテンプル３、３に折り重なる方向に、折り畳んだ状態を示す斜視図である。第２ｃ図は、本発明１のモダン１をテンプル３、３に折り重なる方向に折り畳み、テンプル３、３を内側に閉じた状態を示す正面図である。
【００１７】
かかる構成により、メガネを仕舞う時、テンプル３、３を内側に閉じて、モダン１を上方に押し上げ、テンプル３に折り重なる方向に略９０度に曲げて、折り畳むことによって、このメガネはスリムに収まる。連結部材９の軸支部分において弾性的に係合し、その展開状態を保持させている。
【００１８】
実施の形態の一例として、第３ａ図は、テンプル３に取り付けた連結部材９に、ネジ１３を設けたことを示す説明である。第３ｂ図、第３ｃ図は、連結部材９に固定又は摺動自在に取り付けたことを示す側面図である。摺動連結部材９を移動させることによって、様々の人の角膜頂点距離に合うように調整する。連結部材９に設けた軸１２に軸支したモダン１の固定角度を調整可能にすることによって、目の位置に対して正しいレンズの高さに調整することができる。
【００１９】
実施の形態の一例として、市販されているメガネの鼻パッドとモダンを取り外し、本発明１の連結部材９をテンプル３の端部の形状に合わせて、摺動又は固定自在に嵌め込み、この連結部材９を摺動させて、その人に合った角膜頂点距離に調整することによって、鼻パッド無しメガネに改造することができる。
【００２０】
本発明１で言うメガネは、老眼鏡、度付きメガネ、ＴＶ・映画用３Ｄメガネ、伊達メガネ、サングラス、風防メガネ、カメラを取り付けたメガネ、拡大鏡を入れたメガネ、ライトを取り付けたメガネ、度数調整可能な液体レンズメガネ、剣道用メガネ、ウエアラブル機器１５を取り付けたメガネ、スクリーンに表示される画像を観察するための画像観察用メガネ、拡張現実（ＡＲ）機能を備えたメガネ、ヘッドバンド取り付けた手術用メガネなどである。
【００２１】
本発明１で言うレンズは、カラーレンズ、度付きレンズ、液晶シャッターレンズ、偏光レンズ、一定の光を制御するフィルターレンズ、シースルー型のディスプレイ１４、調光レンズなどである。
【００２２】
ウエアラブル機器１５とは、カメラ、マイク、スピーカー、インターネット接続を備え、音声操作でＡＲメガネをかけて手ぶらで歩きながら、スケジュールや天気予報、交通情報を調べたり、目的地へのルートを確認したり、友人とメールやビデオ通話で連絡を取り合ったり、ユーザーの健康状態を知らせてくれたり、日常生活の中で目にしている情報をディスプレイ１４上に表示することができる。ウェアラブルコンピューターは、出力デバイスであるディスプレイ１４を目の近くに付けるため、メガネのような形状をしている。
【００２３】
実施の形態の一例として、第４ａ図は、ウエアラブル機器１５を取り付けたメガネを掛けていることを示す側面図である。第４ｂ図は、左右のテンプル３、３をメガネの内側の折り畳んだ正面図であり、第４ｃ図は、本発明１のモダン１、１をテンプル３に折り重なる方向に、折り畳んだことを示す正面図である。ウエアラブル機器１５がＬ字状であるため、メガネを折り畳みコンパクトにした場合は、ウエアラブル機器１５を取り外す方がよりコンパクトになる。
【００２４】
実施の形態の一例として、第５ａ図は、レンズ部１０、１０の上にウエアラブル機器１５を取り付けたメガネを示す斜視図である。このようにウエアラブル機器１５を改良してレンズ部１０、１０の上に、レンズ部１０、１０と平行に取り付けることによって、ウエアラブル機器１５付きメガネはコンパクトになる。第５ｂ図は、フロントフレーム１６の上にウエアラブル機器１５を取り付けたメガネを示す斜視図である。このようにウエアラブル機器１５を小型に短く改良してフロントフレーム１６の上に、フロントフレーム１６と平行に取り付けることによって、ウエアラブル機器１５付きメガネをスリムに収納することができる。
【００２５】
今後、ウエアラブル機器１５は軽薄短小の方向に改良されるので、形状を限定することは出来ない。しかし、ウエアラブル機器１５の形状はメガネフレームに収まり持ち運びが便利な大きさまで進化し、メガネフレームに取り付けが便利なサイズ、コンパクトな形状に成されていくのは間違いなく、その時、本発明１の折れ曲がるモダン１がステンダードに成ると考えられる。
【実施例２】
【００２６】
本発明の請求項２記載の折り畳めるモダン（以下、本発明２と言う）は、前記テンプル３、３の端部に取り付けた前記連結部材９、９に、前記固定具６、６の下方端が、回動自在に軸支されていていることを特徴としている。
【００２７】
実施の形態の一例として、第６ａ図は本発明２の固定具６を連結部材９に設けて、軸１２に軸支していることを示す説明図である。第６ｂ図は本発明２の固定具６を、テンプル３に折り重なる方向に、折り畳んだ状態を示す説明図である。連結部材９の軸支部分において弾性的に係合し、その展開状態を保持させている。
【００２８】
かかる構成により、固定具６がレンズ部１０の高さ内に収まりスリムに収納できる。
【実施例３】
【００２９】
本発明の請求項３記載の折り畳めるモダン（以下、本発明３と言う）は、前記テンプル３、３の端部に取り付けた前記連結部材９、９に、前記固定具６、６の下方端と、前記モダン１、１の上方端とが、一体に連結された連結モダン８、８が回動自在に軸支されていることを特徴としている。
【００３０】
実施の形態の一例として、第７ａ図は本発明３の連結モダン８を連結部材９に軸支した側面図であり、第７ｂ図は連結モダン８をテンプル３に折り重なる方向に、折り畳んだ状態を示す側面図であり、第７ｃ図は連結モダン８をテンプル３に折り重なる方向に折り畳んだテンプル３を、メガネの内側に折り畳んだ状態を示す正面図である。連結部材９の軸支部分において弾性的に係合し、その展開状態を保持させている。
【００３１】
かかる構成により、連結モダン８を固定具６の下方端と、モダン１の上方端とが、一体に連結された連結モダン８は、固定具６とモダン１を同時にテンプル３に折り重なる方向に、折り畳んで収納することができる。
【実施例４】
【００３２】
本発明の請求項４記載の折り畳めるモダン（以下、本発明４と言う）は、前記モダン１、１が、前記テンプル３、３に折り重なる方向に、二段階に折り畳めるように形成させて、軸支されていることを特徴としている。
【００３３】
実施の形態の一例として、第８ａ図は連結部材９に軸支したモダン１の下端部に、軸１２を取り付け、この軸１２を支点として、モダン１をテンプル３に折り重なる方向に、二段階に折り畳んだ状態を示す側面図である。第８ｂ図は二段階に折り畳んだモダン１を、テンプル３に折り重なる方向に折り畳み、連結部材９に軸支した固定具６を、テンプル３に折り重なる方向に折り畳んだ状態を示す側面図である。第８ｃ図は、第８ｂ図で固定具６とモダン１を折り畳んだテンプル３を、メガネの内側に折り畳んだ状態を示す正面図である。モダン１の軸支部分において弾性的に係合し、その展開状態を保持させている。
【００３４】
かかる構成により、レンズ部１０の形状が横に細長いメガネのモダン１を、収納してコンパクトにすることができる。
【産業上の利用可能性】
【００３５】
以上のように、鼻パッド無しメガネは、鼻の横にパッドの痕が付かず、長時間かけていても苦痛を感じないメガネであり、突出しているモダン１、固定具６を、折り畳み可能にすることによって、携帯時にはスリムでコンパクトとなり利便性が向上する。そして、眼鏡業界にとって、永遠の課題である顔に接しない標準の眼鏡として適している。
【符号の説明】
【００３６】
１    モダン
２    保持体
３    テンプル
４    耳殻
５    耳朶        
６    固定具
７    耳珠
８    連結モダン
９    連結部材
１０    レンズ部
１１    ヨロイ
１２    軸
１３    ネジ  
１４    ディスプレイ
１５    ウェアラブル機器  
１６    フロントフレーム
【図１】
2014071390.tif 000003
【図２】
2014071390.tif 000004
【図３】
2014071390.tif 000005
【図４】
2014071390.tif 000006
【図５】
2014071390.tif 000007
【図６】
2014071390.tif 000008
【図７】
2014071390.tif 000009
【図８】
2014071390.tif 000010
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
鼻パッド無しメガネのテンプル（３、３）の端部に、連結部材（９、９）を固定又は摺動自在に取り付け、この連結部材（９、９）に、頭の形状に沿って斜め上方に延設した固定具（６、６）の下方端が取り付けられ、この連結部材（９、９）に、耳殻（４、４）の外側の形状に沿わせて延長したモダン（１、１）が、耳朶（５、５）を避けるように前方に湾曲されていて、このモダン（１、１）の終端部の最後尾に、メガネを固定するための保持体（２、２）が、耳の耳珠（７、７）の表裏面に当接するように取り付けられ、このモダン（１、１）の上方端が、回動自在に軸支されていて、前記テンプル（３、３）に折り重なる方向に、折り畳めるように成されていることを特徴とする折り畳めるモダン。
【請求項２】
前記テンプル（３、３）の端部に取り付けた前記連結部材（９、９）に、前記固定具（６、６）の下方端が、回動自在に軸支されていていることを特徴とする請求項１記載の折り畳めるモダン。
【請求項３】
前記テンプル（３、３）の端部に取り付けた前記連結部材（９、９）に、前記固定具（６、６）の下方端と、前記モダン（１、１）の上方端とが、一体に連結された連結モダン（８、８）が回動自在に軸支されていていることを特徴とする請求項１又は２記載の折り畳めるモダン。
【請求項４】
前記モダン（１、１）が、前記テンプル（３、３）に折り重なる方向に、二段階に折り畳めるように形成させて、軸支されていることを特徴とする請求項１又は２記載の折り畳めるモダン。
【請求項５】
請求項１〜４の何れかに記載の折り畳めるモダンを取り付けた眼鏡。
【手続補正書】
【提出日】平成24年11月13日(2012.11.13)
【手続補正１】
【補正対象書類名】明細書
【補正対象項目名】００１２
【補正方法】変更
【補正の内容】
【００１２】
そこで、本発明の請求項１記載の折り畳めるモダン（以下、本発明１と言う）は、鼻パッド無しメガネのテンプル（３、３）の端部に、連結部材（９、９）を固定又は摺動自在に取り付け、頭の形状に沿って斜め上方に延設した固定具（６、６）の下方端が、前記連結部材（９、９）に取り付けられ、耳殻（４、４）の外側の形状に沿わせて延長したモダン（１、１）が、耳朶（５、５）を避けるように前方に湾曲されていて、このモダン（１、１）の終端部の最後尾に、メガネを固定するための保持体（２、２）が、耳の耳珠（７、７）に当接するように取り付けられ、このモダン（１、１）の上方端が、前記連結部材（９、９）に回動自在に軸支されていて、前記テンプル（３、３）に折り重なる方向に、折り畳めるように成されていることを特徴としている。
【手続補正２】
【補正対象書類名】特許請求の範囲
【補正対象項目名】全文
【補正方法】変更
【補正の内容】
【特許請求の範囲】
【請求項１】
鼻パッド無しメガネのテンプル（３、３）の端部に、連結部材（９、９）を固定又は摺動自在に取り付け、頭の形状に沿って斜め上方に延設した固定具（６、６）の下方端が、前記連結部材（９、９）に取り付けられ、耳殻（４、４）の外側の形状に沿わせて延長したモダン（１、１）が、耳朶（５、５）を避けるように前方に湾曲されていて、このモダン（１、１）の終端部の最後尾に、メガネを固定するための保持体（２、２）が、耳の耳珠（７、７）に当接するように取り付けられ、このモダン（１、１）の上方端が、前記連結部材（９、９）に回動自在に軸支されていて、前記テンプル（３、３）に折り重なる方向に、折り畳めるように成されていることを特徴とする折り畳めるモダンを取り付けた眼鏡。
【請求項２】
前記テンプル（３、３）の端部に取り付けた前記連結部材（９、９）に、前記固定具（６、６）の下方端が、回動自在に軸支されていていることを特徴とする請求項１記載の折り畳めるモダンを取り付けた眼鏡。
【請求項３】
前記テンプル（３、３）の端部に取り付けた前記連結部材（９、９）に、前記固定具（６、６）の下方端と、前記モダン（１、１）の上方端とが、一体に連結された連結モダン（８、８）が回動自在に軸支されていていることを特徴とする請求項１又は２記載の折り畳めるモダンを取り付けた眼鏡。
【請求項４】
前記モダン（１、１）が、前記テンプル（３、３）に折り重なる方向に、二段階に折り畳めるように形成させて、軸支されていることを特徴とする請求項１又は２記載の折り畳めるモダンを取り付けた眼鏡。